(57)【特許請求の範囲】
【請求項１】
歯付プーリを介してペダル軸の回転運動に負荷を与える負荷装置、及び上記負荷装置に対する負荷量やペダリング運動プログラムの設定を行う表示部を備えるペダリング運動部と、このペダリング運動部に対向して設けられ、運動者が腰掛けるためのイスと、このイスと上記ペダリング運動部とが取り付けられるベース部とを備えた座位運動装置において、上記ペダル軸を上記イスの座位部の水平延長線よりも高い位置に保持させるペダル軸上下手段を備え、上記ペダル軸上下手段は、ベース部の短手方向に沿って設けられる２本のレール横バーと、その２本のレール横バーの間の長手方向に沿って設けられる送りネジと、上記一方のレール横バーに回転自在に取り付けられ上記送りネジを回転させるハンドルと、ペダリング運動部の一端部に取り付けられ、上記ハンドルの回転に伴って上記送りネジを螺合移動することにより、上記ペダリング運動部を上記ベース部に対して摺動させる送りナットと、この送りナットが上記送りネジを移動するのに伴って上記ペダリング運動部の他端部を傾斜させる立ち上げバーと、上記ハンドルの回転を係止し、上記ペダリング運動部の傾斜状態を保持するクランプレバーとを備えたことを特徴とする座位運動装置。
【請求項２】
歯付プーリを介してペダル軸の回転運動に負荷を与える負荷装置、及び上記負荷装置に対する負荷量やペダリング運動プログラムの設定を行う表示部を備えるペダリング運動部と、このペダリング運動部に対向して設けられ、運動者が腰掛けるためのイスと、このイスと上記ペダリング運動部とが取り付けられるベース部とを備えた座位運動装置において、上記ペダル軸を上記イスの座位部の水平延長線よりも高い位置に保持させるペダル軸上下手段を備え、上記ペダル軸上下手段は、ベース部上にペダリング運動部を搭載する底面板と、この底面板上に取り付けられるクランク軸受けフレームと、このクランク軸受けフレームに取り付けられるクランク軸取付板と、このクランク軸取付板に円弧上に形成され、歯付プーリを回動軸としてペダルのクランク軸を誘導するクランク軸誘導溝とを備えたことを特徴とする座位運動装置。
【発明の詳細な説明】
【０００１】
【発明の属する技術分野】
この発明は、下肢をイスよりも高くしたときの有酸素運動の能力向上だけでなく、大腿部の屈曲筋および伸展筋を大きく動作させたときの有酸素運動の能力向上も図ることができる座位運動装置に関するものである。
【０００２】
【従来の技術】
図７は、例えば実公平７−４５２３８号公報に開示された従来の座位運動装置を示す構成図であり、図において、１は負荷装置６を組み込むためのフレームであり、前部フレーム２、後部フレーム３、上部フレーム４、および下部フレーム５とから構成されている。６はペダル軸７を介して負荷を与えるための負荷装置、８は負荷装置６およびフレーム１を全面的に覆うフレームカバー、９はフレームカバー８の上方でかつ運動者に向けて装着されたコントロールユニットであり、ペダリング運動を行うにあたって、各種の負荷や、プログラム内容の設定を行うことができる。
【０００３】
１０は後部フレーム３の中央部に固定されたブラケットであり、このブラケット１０には角パイプより構成されるセンターポスト１１が取り付けられている。また、このセンターポスト１１の水平延長線上にペダル軸７が位置するため、運動者が大腿部ｔｈを大きく屈曲−伸展動作することなくペダリング運動を行うことができる。１２はセンターポスト１１に対して摺動自在に取り付けられたシートフレーム、１３はシートフレーム１２上に装着されたシート、１４はシートフレーム１２上に装着されたシート１３とペダル軸７との水平距離の調節を行うロックピンである。１５はセンターポスト１１を座位運動装置の設置面に対して傾斜させるためのシートポスト、１６は一方の取付口にはセンターポスト１１が固定され、他端の取付口にはシートポスト１５が摺動自在に取り付けられたエンドフレームである。１７はエンドフレーム１６をシートポスト１５の所定位置で固定するポストノブである。
【０００４】
次に動作について説明する。
まず、運動者または介護者は、自己のまたは患者の身体的機能状態に合わせてセンターポスト１１を座位運動装置の設置面に対して傾斜させる必要がない場合には、エンドフレーム１６をシートポスト１５の上部に移動させポストノブ１７によって固定する。次に、運動者または介護者はシート１３に座った後、シート１３とペダル軸７との水平距離の調節を行うためにシートフレーム１２を摺動させ、ロックピン１４によって固定する。
【０００５】
一方、センターポスト１１を座位運動装置の設置面に対して傾斜させる場合には、エンドフレーム１６をシートポスト１５の下部に移動させポストノブ１７によって固定する。その後のシート１３とペダル軸７との水平距離の調節は上記と同一である。その後、運動者または介護者はコントロールユニット９を介して負荷装置６の負荷調節やプログラム内容の設定を行い、ペダリング運動を行う。
【０００６】
このように、シート１３の位置をペダル軸７に対して高さ方向にも変化させることができるため、同一の座位運動装置で運動者の心肺機能や病人の病状に応じたペダリング運動を行わせることができる。
【０００７】
しかし、後部フレーム３に対してセンターポスト１１を傾斜させた場合でも、すなわち、座位運動装置の設置面に対して傾斜させた場合でも、このセンターポスト１１の水平延長線ｐｒ上にペダル軸７が位置するため、股関節ｈｊと大腿部ｔｈとの屈曲角度θが小さく、運動者が大腿部ｔｈを大きく屈曲−伸展動作することなくペダリング運動を行うことができる。
【０００８】
したがって、運動者は大腿部ｔｈの小さな屈曲−伸展動作でペダルを回転させることができるため、大腿部ｔｈの屈曲−伸展動作を行わせる屈曲筋および伸展筋（例えば、腸腰筋、大腿四頭筋、大殿筋、中殿筋、および小殿筋）を大きく動かす必要がなかった。
【０００９】
【発明が解決しようとする課題】
従来の座位運動装置は以上のように構成されているので、大腿部ｔｈの屈曲−伸展動作を行わせる屈曲筋および伸展筋を大きく動かす必要がなく、このため、下肢をシート１３よりも高くしたときの有酸素運動の能力向上は図ることができるが、大腿部ｔｈの屈曲筋および伸展筋を大きく動かしたときの有酸素運動の能力向上を図ることができないなどの課題があった。
【００１０】
この発明は上記のような課題を解決するためになされたもので、下肢をイスよりも高くしたときの有酸素運動の能力向上だけでなく、大腿部の屈曲筋および伸展筋を大きく動作させたときの有酸素運動の能力向上も図ることができる座位運動装置を得ることを目的とする。
【００１１】
【課題を解決するための手段】
この発明に係る座位運動装置は、ペダル軸をイスの座位部の水平延長線よりも高い位置に保持させるペダル軸上下手段を備え、そのペダル軸上下手段において、ベース部の短手方向に沿って設けられるレール横バーの間の長手方向に沿って送りネジを設け、一方のレール横バーに回転自在に取り付けられ送りネジをハンドルにより回転させ、ペダリング運動部の一端部に取り付けられた送りナットがハンドルの回転に伴って送りネジを螺合移動し、ペダリング運動部をベース部に対して摺動させ、この送りナットが送りネジを移動するのに伴って立ち上げバーによりペダリング運動部の他端部を傾斜させ、ハンドルの回転を係止し、ペダリング運動部の傾斜状態をクランプレバーにより保持するようにしたものである。
【００１２】
この発明に係る座位運動装置は、ペダル軸をイスの座位部の水平延長線よりも高い位置に保持させるペダル軸上下手段を備え、そのペダル軸上下手段において、ベース部上にペダリング運動部を搭載する底面板上にクランク軸受けフレームを取り付け、このクランク軸受けフレームに取り付けられるクランク軸取付板に円弧上に形成され、歯付プーリを回動軸としてペダルのクランク軸をクランク軸誘導溝により誘導するようにしたものである。
【００１３】
【発明の実施の形態】
以下、この発明の実施の一形態を説明する。
実施の形態１．
図１はこの発明の実施の形態１による座位運動装置を示す斜視図、図２はこの発明の実施の形態１による座位運動装置を示す側面図であり、図において、２１は座位運動装置、２２はペダル軸２３を介して負荷を与えるための負荷装置、２４は負荷装置２２およびペダル軸２３の回転力を負荷装置２２に伝える歯付プーリ２５を全面的に覆うフレームカバー、２６はフレームカバー２４の上方でかつ運動者に向けて装着された表示部であり、ペダリング運動を行うにあたって、各種の負荷や、プログラム内容の設定を行うことができる。
【００１４】
２７（２７ａ，２７ｂ）はペダリング運動部２１ａに対向して設けられたリクライニング式のイスであり、スライドレバー２８を操作することにより、イス土台２９上を表示部２６に対して前後にスライドするものである。３０は２本のレールベース（ベース部）であり、この２本のレールベース３０の間にペダリング運動部２１ａ、およびイス土台２９が取り付けられる。また、このレールベース３０の前後に移動用の車輪３１が取り付けられている。３２は２本のレールベース３０間に設けられたレール横バー（ペダル軸上下手段）であり、イス２７から遠位に位置し一方のレールベース３０の端に設けられた遠位レール横バー３２ａとイス２７から近位に位置しレールベース３０の略中央に設けられた近位レール横バー３２ｂとがある。
【００１５】
３３は遠位レール横バー３２ａと近位レール横バー３２ｂとの間に設けられた送りネジ（ペダル軸上下手段）、３４は送りネジ３３の回転に伴って送りネジ３３の間を移動する送りナット（ペダル軸上下手段）であり、ペダリング運動部２１ａの一方の下部に固定されている。３５は遠位レール横バー３２ａに設けられ、送りネジ３３を回転させるハンドル（ペダル軸上下手段）、３６はハンドル３５の回転を係止し、送りナット３４が送りネジ３３を移動するのを禁止するクランプレバー（ペダル軸上下手段）であり、ペダリング運動部２１ａの傾斜を所定位置に固定する。３７はペダリング運動部２１ａの一方の下部に取り付けられ、送りナット３４が送りネジ３３を移動するに伴ってレール横バー３２間を摺動する送り車輪である。
【００１６】
３８はペダリング運動部２１ａに回動自在に設けられ、送りナット３４が送りネジ３３を移動するに伴ってペダリング運動部２１ａを傾斜させる立ち上げバーであり、回動バー３９を介してレールベース３０に回動自在に取り付けられている。ハンドル３５を回転すると送りナット３４が送りネジ３３を移動し、それに伴って送り車輪３７がレール横バー３２間を摺動する。その結果、立ち上げバー３８が時計回転方向に回転しペダリング運動部２１ａを傾斜させる。
【００１７】
次に動作について説明する。
図３はこの発明の実施の形態１による座位運動装置において本体部を傾斜させた時の状態を示す側面図である。
ペダリング運動部２１ａを傾斜させて使用する場合、ハンドル３５を回転させ、運動者または介護者は自己のまたは患者の身体的機能状態に合わせてペダリング運動部２１ａを傾斜させ、クランプレバー３６により送りネジ３３の回転を係止する。次に、運動者または介護者は自己のまたは患者の身体的機能状態に合わせて、イス２７と表示部２６との水平距離を調節するとともに、イス２７の背もたれ部２７ａの傾斜角度を調節する。その後、運動者または介護者は表示部２６に表示されている画面が確認できるように、表示部２６の角度を調節するとともに、表示部２６を介してペダリング運動を行うにあたって、各種の負荷やプログラム内容の設定を行う。
【００１８】
このように、ペダリング運動部２１ａを傾斜させて使用した場合、イス２７の座位部２７ｂの水平延長線ｐｒよりも高い位置にペダル軸２３が位置することになる。したがって、股関節ｈｊと大腿部ｔｈとの屈曲角度θが大きくなり、運動者は大腿部ｔｈを大きく屈曲−伸展動作しペダリング運動を行うことになる。このため、運動者は大腿部ｔｈの屈曲筋および伸展筋を大きく動かすことができる。
【００１９】
以上のように、この実施の形態１によれば、ペダリング運動部２１ａを傾斜させて使用した場合、運動者は大腿部ｔｈの屈曲筋および伸展筋を大きく動かすことができるので、下肢をイス２７よりも高くしたときの有酸素運動の能力向上だけでなく、大腿部ｔｈの屈曲筋および伸展筋を大きく動作させたときの有酸素運動の能力向上も図ることができるなどの効果が得られる。
【００２０】
実施の形態２．
図４はこの発明の実施の形態２による座位運動装置を示す斜視図、図５はこの発明の実施の形態２による座位運動装置を示す側面図であり、図において、実施の形態１と同一符号については同一または相当部分を示すので説明を省略する。５０は２本の筐体ベース（ベース部）であり、この２本の筐体ベース５０の間にペダリング運動部２１ａ、およびイス土台２９が取り付けられる。また、この筐体ベース５０の前後に移動用の車輪３１が取り付けられている。５１は筐体ベース５０上にペダリング運動部２１ａを搭載するための底面板（ペダル軸上下手段）、５２はこの底面板５１上に取り付けられたクランク軸受けフレーム（ペダル軸上下手段）である。
【００２１】
５３はペダルのクランク軸（ペダル軸上下手段）５４が貫通する円弧状のクランク軸誘導溝（ペダル軸上下手段）５５を形成するクランク軸取付板（ペダル軸上下手段）であり、２つのクランク軸取付板５３がイス２７と対向するようにクランク軸受けフレーム５２に設けられている。したがって、クランク軸５４は歯付プーリ２５を回動軸としてクランク軸誘導溝５５内を回動させることができるため、クランク軸５４が最下位に位置する場合でも最上位に位置する場合でもイス２７からクランク軸２３までの距離を一定に保つことができる。また、このクランク軸５４は手で回せるネジ（図示なし）とナット（図示なし）とによってクランク軸取付板５３に固定されているので、クランク軸５４の上げ下げを容易に行うことができる。
【００２２】
次に動作について説明する。
図６はこの発明の実施の形態２による座位運動装置においてクランク軸を上げた時の状態を示す側面図である。
クランク軸５４を上げて使用する場合、運動者または介護者は自己のまたは患者の身体的機能状態に合わせてクランク軸５４を回動し、クランク軸取付板５３に固定する。次に、運動者または介護者は自己のまたは患者の身体的機能状態に合わせて、イス２７と表示部２６との水平距離を調節するとともに、イス２７の背もたれ部２７ａを傾斜角度を調節する。その後、運動者または介護者は表示部２６に表示されている画面が確認できるように、表示部２６の角度を調節するとともに、表示部２６を介してペダリング運動を行うにあたって、各種の負荷やプログラム内容の設定を行う。
【００２３】
このように、クランク軸５４を上げて使用する場合、イス２７の座位部２７ｂの水平延長線ｐｒよりも高い位置にペダル軸２３が位置することになる。したがって、股関節ｈｊと大腿部ｔｈとの屈曲角度θが大きくなり、運動者は大腿部ｔｈを大きく屈曲−伸展動作しペダリング運動を行うことになる。このため、運動者は大腿部ｔｈの屈曲筋および伸展筋を大きく動かすことができる。
【００２４】
以上のように、この実施の形態２によれば、クランク軸５４を上げて使用する場合、運動者は大腿部ｔｈの屈曲筋および伸展筋を大きく動かすことができるので、下肢をイス２７よりも高くしたときの有酸素運動の能力向上だけでなく、大腿部ｔｈの屈曲筋および伸展筋を大きく動作させたときの有酸素運動の能力向上も図ることができるなどの効果が得られる。
【００２５】
【発明の効果】
以上のように、この発明によれば、ペダル軸をイスの座位部の水平延長線よりも高い位置に保持させるペダル軸上下手段を備え、そのペダル軸上下手段において、ベース部の短手方向に沿って設けられるレール横バーの間の長手方向に沿って送りネジを設け、一方のレール横バーに回転自在に取り付けられ送りネジをハンドルにより回転させ、ペダリング運動部の一端部に取り付けられた送りナットがハンドルの回転に伴って送りネジを螺合移動し、ペダリング運動部をベース部に対して摺動させ、この送りナットが送りネジを移動するのに伴って立ち上げバーによりペダリング運動部の他端部を傾斜させ、ハンドルの回転を係止し、ペダリング運動部の傾斜状態をクランプレバーにより保持させるように構成したので、下肢をイスよりも高くしたときの有酸素運動の能力向上だけでなく、大腿部の屈曲筋および伸展筋を大きく動作させたときの有酸素運動の能力向上も図ることができる効果がある。
【００２６】
この発明によれば、ペダル軸をイスの座位部の水平延長線よりも高い位置に保持させるペダル軸上下手段を備え、そのペダル軸上下手段において、ベース部上にペダリング運動部を搭載する底面板上にクランク軸受けフレームを取り付け、このクランク軸受けフレームに取り付けられるクランク軸取付板に円弧上に形成され、歯付プーリを回動軸としてペダルのクランク軸をクランク軸誘導溝により誘導するように構成したので、下肢をイスよりも高くしたときの有酸素運動の能力向上だけでなく、大腿部の屈曲筋および伸展筋を大きく動作させたときの有酸素運動の能力向上も図ることができる効果がある。
【図面の簡単な説明】
【図１】  この発明の実施の形態１による座位運動装置を示す斜視図である。
【図２】  この発明の実施の形態１による座位運動装置を示す側面図である。
【図３】  この発明の実施の形態１による座位運動装置において本体部を傾斜させた時の状態を示す側面図である。
【図４】  この発明の実施の形態２による座位運動装置を示す斜視図である。
【図５】  この発明の実施の形態２による座位運動装置を示す側面図である。
【図６】  この発明の実施の形態２による座位運動装置においてクランク軸を上げた時の状態を示す側面図である。
【図７】  従来の座位運動装置を示す構成図である。
【符号の説明】
２１  座位運動装置、２１ａ  ペダリング運動部、２２  負荷装置、２３  ペダル軸、２５  歯付プーリ、２６  表示部、２７  イス、３０  レールベース（ベース部）、３２  レール横バー（ペダル軸上下手段）、３３  送りネジ（ペダル軸上下手段）、３４  送りナット（ペダル軸上下手段）、３５  ハンドル（ペダル軸上下手段）、３６  クランプレバー（ペダル軸上下手段）、５０  筐体ベース（ベース部）、５１  底面板（ペダル軸上下手段）、５２  クランク軸受けフレーム（ペダル軸上下手段）、５３  クランク軸取付板（ペダル軸上下手段）、５４  クランク軸（ペダル軸上下手段）、５５  クランク軸誘導溝（ペダル軸上下手段）。
【図１】
0003670125.tif 000002
【図２】
0003670125.tif 000003
【図３】
0003670125.tif 000004
【図４】
0003670125.tif 000005
【図５】
0003670125.tif 000006
【図６】
0003670125.tif 000007
【図７】
0003670125.tif 000008